(57)【要約】【課題】外部装置からの信号に基づいて対象機器のトリップロックを実行するとともに、トリップロックの状態を確実に外部装置に通知する。【解決手段】外部装置２ａからトリップロック指令信号を入力する入力手段１１と、トリップロック指令信号に基づいて、対象機器にトリップロックを操作するトリップロック操作信号を出力する第１出力ライン１８ａ〜１８ｄと、トリップロック指令信号の入力とトリップロック操作信号の出力とによって生成されるＡＮＤ信号をトリップロック完了信号として外部装置２ａに出力する第２出力ライン１７とを備える。【選択図】  図１
2008228497.tif 000002
【特許請求の範囲】
【請求項１】
外部装置からのトリップロック指令信号を入力したトリップロック操作装置によって、前記外部装置の制御対象である対象機器をトリップロックさせるトリップロック方法であって、
前記外部装置が、前記トリップロック操作装置にトリップロック指令信号を出力するステップと、
前記トリップロック操作装置が、前記トリップロック指令信号を入力するステップと、
前記トリップロック操作装置が、前記トリップロック指令信号に基づいて、前記対象機器にトリップロックを操作するトリップロック操作信号を出力するステップと、
前記トリップロック操作装置が、前記トリップロック指令信号の入力と前記トリップロック操作信号の出力とがともに成立する場合に、トリップロック完了信号を生成して前記外部装置に出力するステップと、
を備えることを特徴とするトリップロック方法。
【請求項２】
前記トリップロック操作装置が、トリップロック操作信号を前記対象機器と前記外部装置の双方に出力するステップと、
前記外部装置が、前記トリップロック操作信号を入力するステップと、
前記外部装置が、前記トリップロック完了信号及び前記トリップロック操作信号の入力に基づいて前記外部装置でトリップロックがされたか否かを判定するステップと、
を更に備えることを特徴とする請求項１記載のトリップロック方法。
【請求項３】
外部装置からのトリップロック指令信号に基づいて、前記外部装置の制御対象である対象機器をトリップロックさせるトリップロック操作装置であって、
前記外部装置からトリップロック指令信号を入力する入力手段と、
前記対象機器に接続され、前記トリップロック指令信号を入力した場合に前記対象機器にトリップロックを操作するトリップロック操作信号を出力する第１出力ラインと、
前記外部装置に接続され、前記トリップロック指令信号の入力と前記トリップロック操作信号の出力とによって生成されるＡＮＤ信号をトリップロック完了信号として前記外部装置に出力する第２出力ラインと、
を備えることを特徴とするトリップロック操作装置。
【請求項４】
前記外部装置に接続され、前記第１出力ラインで出力するトリップロック操作信号を、前記外部装置に出力する第３出力ラインを更に備えることを特徴とする請求項３記載のトリップロック操作装置。
【請求項５】
外部装置からのトリップロック指令信号に基づいて、対象機器の動作をトリップロックさせる装置であって、
前記外部装置から入力するトリップロック指令信号によって通電する第１リレーと、
前記第１リレーの通電によって閉成する第１接点及び第２接点と、
前記第１接点が閉成すると、通電する第２リレーと、
前記第２リレーの通電によって閉成する第３接点及び第４接点と、
前記第３接点が閉成すると、前記対象機器にトリップロックを実行させるトリップロック操作信号を出力する第１出力ラインと、
前記第３接点と前記第４接点とが直列に接続され、前記第３接点と前記第４接点とが閉成することによって、前記外部装置にトリップロック完了信号を送信する第２出力ラインと、
を備えることを特徴とするトリップロック操作装置。
【発明の詳細な説明】
【技術分野】
【０００１】
本発明は、保護継電器やコントローラ等の装置で、機器の動作の自動点検利用されるトリップロック方法及びトリップロック操作装置に関する。
【背景技術】
【０００２】
保護継電器やコントローラ等の装置において、装置における点検動作等を実行する際にトリップロック方法が利用され、装置の制御対象である対象機器がトリップロックされた後に装置の点検動作を開始している。装置において自動で点検動作を行う自動点検の際にもこのようなトリップロック方法が利用されている（例えば、特許文献１，２参照）。
【０００３】
図３を用いて、トリップロック操作装置１を用いて保護継電器２の制御対象である機器３ａ〜３ｄをトリップロックする従来のトリップロック方法の一例を説明する。トリップロック操作装置１は、保護継電器２のトリップロック指令出力手段２１から出力されたトリップロック指令信号をライン１００を介して入力すると、入力したトリップロック指令信号に基づいてトリップロック操作信号を出力し、各機器３ａ〜３ｄをトリップロックする。
【０００４】
具体的には、トリップロック指令信号を入力したトリップロック操作装置１では、リレー１０１が通電し（オン）、常開接点１０２，１０６が閉成する。接点１０２が閉成することによってリレー１０３が通電し、常開接点１０４ａ〜１０４ｄが閉成し、トリップロック操作装置１は、ライン１０５ａ〜１０５ｄを介して機器３ａ〜３ｄにトリップロック操作信号を出力する。
【０００５】
また、トリップロック操作装置１は、トリップロック操作信号を出力するとともに、ライン１０７を介して保護継電器２のトリップロック完了入力手段２２にトリップロック完了信号を出力している。すなわち、接点１０６が閉成することによって、トリップロック操作装置１は、保護継電器２にトリップロック完了信号を出力する。
【０００６】
保護継電器２は自動点検を行う際、このようにトリップロック操作を行ったトリップロック操作装置１からトリップロック完了信号を受信することによって、機器３ａ〜３ｄがトリップロックされていることを把握し、点検動作の実行を開始することができる。
【特許文献１】特開２００５−１６８１５０号公報
【特許文献２】特開２００５−６５４２４号公報
【発明の開示】
【発明が解決しようとする課題】
【０００７】
しかし、上述した従来のトリップロック操作装置１では、例えば、リレー１０３を起動する接点１０２がオフとなり、トリップロック完了信号を送信する接点１０６がオンとなる誤動作が発生した場合、機器３ａ〜３ｄにトリップロック操作信号が送信されていないにも関わらず、トリップロック完了信号が送信されることになる。したがって、機器３ａ〜３ｄがトリップロックされていないにも関わらず、保護継電器２において自動点検が開始された場合、保護継電器２及び機器３ａ〜３ｄを含む電力系統では、不要な停電等の問題が発生することもある。
【０００８】
本発明は、外部の装置からの信号に基づいて対象機器のトリップロックを実行するとともに、トリップロックの状態を確実に外部の装置に通知するトリップロック方法及びその装置を提供することを目的とする。
【課題を解決するための手段】
【０００９】
上記目的を達成するため、本発明に係るトリップロック操作方法は、外部装置からのトリップロック指令信号を入力したトリップロック操作装置によって、外部装置の制御対象である対象機器をトリップロックさせるトリップロック方法であって、外部装置が、トリップロック操作装置装置にトリップロック指令信号を出力するステップと、トリップロック操作装置装置が、トリップロック指令信号を入力するステップと、トリップロック操作装置装置が、トリップロック指令信号に基づいて、対象機器にトリップロックを操作するトリップロック操作信号を出力するステップと、トリップロック操作装置装置が、トリップロック指令信号の入力とトリップロック操作信号の出力とによって生成されるＡＮＤ信号をトリップロック完了信号として外部装置に出力するステップと、外部装置が、トリップロック完了信号を入力するステップとを備えることを特徴とする。
【００１０】
また、本発明に係るトリップロック操作装置は、外部装置からのトリップロック指令信号に基づいて、外部装置の制御対象である対象機器をトリップロックさせるトリップロック操作装置であって、外部装置からトリップロック指令信号を入力する入力手段と、対象機器に接続され、トリップロック指令信号を入力した場合に対象機器にトリップロックを操作するトリップロック操作信号を出力する第１出力ラインと、外部装置に接続され、トリップロック指令信号の入力とトリップロック操作信号の出力とによって生成されるＡＮＤ信号をトリップロック完了信号として外部装置に出力する第２出力ラインとを備えることを特徴とする。
【発明の効果】
【００１１】
本発明によれば、外部の装置からの信号に基づいて対象機器のトリップロックを実行するとともに、トリップロックの状態を確実に外部の装置に通知することができる。
【発明を実施するための最良の形態】
【００１２】
〈第１の実施形態〉
本発明の第１の実施形態に係るトリップロック操作装置１ａは、図１に示す様に、保護継電器２ａからトリップロック指令信号を入力する入力ライン１０、第１リレー１１、第１リレー１１に対応する接点１２，１３、接点１２が閉成している場合に通電する第２リレー１４、第２リレーに対応する接点１５，１６ａ〜１６ｄ、接点１６ａ〜１６ｄが閉成している場合に保護継電器２ａの保護対象である機器３ａ〜３ｄにトリップロック操作信号を出力する第１出力ライン１８ａ〜１８ｄ、接点１３及び接点１４が直列に接続され、接点１３及び接点１４が閉成している場合に保護継電器２ａにトリップロック完了信号を出力する第２出力ライン１７を備えている。各接点１２，１３，１５，１６ａ〜１６ｄは、常開接点であり、対応するリレー１１，１４が通電すると閉成する。
【００１３】
保護継電器２ａは、定期的等の所定のタイミングで動作の自動点検を実行する機能を有しており、機器３ａ〜３ｄをトリップロックした後、点検動作を開始する。保護継電器２ａは、機器３ａ〜３ｄをトリップロックさせるためにトリップロック操作装置１ａを利用する。具体的には、保護継電器２は、トリップロック指令出力手段２１を備えており、自動点検を実行する際、トリップロック指令出力手段２１が、トリップロック操作装置１ａに対して機器３ａ〜３ｄをトリップロックさせることを指令するトリップロック指令信号を出力する。
【００１４】
第１リレー１１は、保護継電器２ａから入力ライン１０を介してトリップロック指令信号が入力されることによって通電する。
【００１５】
第１リレー１１が通電すると、第１リレーに対応する第１接点１２及び第２接点１３が閉成する。また、第１接点１２が閉成することによって、第２リレー１４が通電し、第２リレー１４に対応する第３接点１６ａ〜１６ｄ及び第４接点１５が閉成する。
【００１６】
第３接点１６ａ〜接点１６ｄが閉成すると、トリップロック操作装置１ａは、第１出力ライン１８ａ〜１８ｄを介して対象の機器３ａ〜３ｄに対してトリップロックを操作するトリップロック操作信号を出力する。
【００１７】
また、第４接点１５が閉成すると、第２接点１３及び第４接点１５からなるＡＮＤ回路が成立し、トリップロック操作装置１ａは、第２出力ライン１７を介して保護継電器２ａのトリップロック完了入力手段２２にトリップロック完了信号を出力する。
【００１８】
保護継電器２ａは、第２出力ライン１７を介してトリップロック操作装置１ａからトリップロック完了信号を入力すると、自動の点検動作を開始する。なお、保護継電器２ａは、自動点検を実行する手段等他にも種々の処理を実行する手段を備えているが、図１では図示を省略する。
【００１９】
上述したように、本発明の第1の実施形態に係るトリップロック操作装置１ａでは、トリップロック指令信号によって動作する第１リレー１１に対応する第２接点１３の状態に加え、第１リレー１１に従って動作する第２リレー１４に対応する第４接点１５の状態を合わせて、保護継電器２ａにトリップロック完了信号を出力する。すなわち、トリップロック操作装置１ａは、機器３ａ〜３ｄにトリップロック操作信号を出力するタイミングと同じタイミングで保護継電器２ａにトリップロック完了信号を出力する。したがって、トリップロック操作装置１ａは、接点の誤動作によってトリップロック完了信号を出力することを防止することができる。
【００２０】
また、保護継電器２ａは、トリップロック操作装置１ａから入力するトリップロック完了信号に基づいて自動点検を開始可能か否かを判定し、点検動作を開始する。したがって、保護継電器２ａは、機器３ａ〜３ｄが確実にトリップロックされた後に点検動作を開始することが可能となり、保護継電器２ａの点検動作による電力系統の停電等の発生を防ぐことができる。
【００２１】
なお、上述したトリップロック操作装置１ａは、リレー回路として説明したが、リレー回路には限られず、種々の手段で代用することができる。
【００２２】
〈第２の実施形態〉
本発明の第２の実施形態に係るトリップロック操作装置１ｂは、図２に示すように、図１を用いて上述したトリップロック操作装置１ａと比較して、第１出力ライン１８ａ〜１８ｄに接続される第３出力ライン１９ａ〜１９ｄを備えている点で異なる。
【００２３】
また、トリップロック操作装置１ｂに接続される保護継電器２ｂは、図１に示した保護継電器２ａと比較して、トリップロック監視入力手段２３及びトリップロック完了判定手段２４を備えている点で異なる。
【００２４】
トリップロック操作装置１ｂでは、第１出力ライン１８ａ〜１８ｄを介して機器３ａ〜３ｄにトリップロック操作信号を出力する際、第３出力ライン１９ａ〜１９ｄを介して保護継電器２ｂにもトリップロック操作信号を出力する。第３出力ライン１９ａ〜１９ｄを介してトリップロック操作装置１ｂから出力されたトリップロック操作信号は、保護継電器２ｂのトリップロック監視入力手段２３に入力される。
【００２５】
保護継電器２ｂでは、トリップロック完了判定手段２４によって、トリップロック完了入力手段２２に入力されるトリップロック完了信号と、トリップロック監視入力手段２３に入力されるトリップロック操作信号とを合わせて各機器３ａ〜３ｄについてのトリップロックの完了を判定する。
【００２６】
例えば、トリップロック完了入力手段２２がトリップロック完了信号を入力しており、トリップロック監視入力手段２３がトリップロック操作信号を入力している場合、いずれの接点１２，１３，１５においても誤動作はないとして、点検動作を開始する。
【００２７】
一方、トリップロック完了入力手段２２がトリップロック完了信号を入力していても、トリップロック監視入力手段２３がトリップロック操作信号を入力していない場合、いずれかの接点１２，１３，１５において誤動作があったとして、点検動作を開始せずに、確認動作を実行する。なお、保護継電器２ｂは、自動点検を実行する手段等他にも種々の処理を実行する手段を備えているが、図２では図示を省略する。
【００２８】
上述したように、本発明の第２の実施形態に係るトリップロック操作装置１ｂでは、機器３ａ〜３ｄにトリップロック操作信号を出力するタイミングと同じタイミングで保護継電器２ｂにトリップロック完了信号を出力するとともに、機器３ａ〜３ｄに出力するトリップロック操作信号を保護継電器２ｂにも出力する。
【００２９】
保護継電器２ｂは、トリップロック操作装置１ｂから入力するトリップロック完了信号及びトリップロック操作信号に基づいてトリップロックが完了したか否かを判定し、点検動作を開始する。すなわち、保護継電器２ｂは、トリップロック操作装置１ｂのいずれかの接点の誤動作によって出力されたトリップロック完了信号が入力された場合には誤動作の発生を把握することができる。したがって、保護継電器２ａは、機器３ａ〜３ｄが確実にトリップロックされた後に点検動作を開始することが可能となり、保護継電器２ｂの点検動作による電力系統の停電等の発生を防ぐことが出来る。
【００３０】
なお、保護継電器２ｂにおいて、トリップロック完了判定手段２４は、トリップロック操作装置１ｂからトリップロック完了信号を入力していなくても、トリップロック操作装置１ｂからトリップロック操作信号を入力した場合には、トリップロックが完了したと判定して、点検動作を開始してもよい。また、トリップロック操作装置１ｂは、第２出力ライン１７を備えず、トリップロック完了信号を出力せず、保護継電器２ｂにおいて、トリップロック完了入力手段２２を備えず、第３出力ライン１９ａ〜１９ｄを介してトリップロック操作装置１ｂからトリップロック監視入力手段２３でトリップロック操作信号を入力した場合にトリップロックが完了したと判定して、点検動作を開始してもよい。さらに、トリップロック操作装置１ｂは、リレー回路には限られず、種々の手段で代用することができる。
【図面の簡単な説明】
【００３１】
【図１】本発明の第１の実施形態に係るトリップロック操作装置の構成と、装置に接続される保護継電器について説明する図である。
【図２】本発明の第２の実施形態に係るトリップロック操作装置の構成と、装置に接続される保護継電器について説明する図である。
【図３】従来のトリップロック操作装置と、装置に接続される保護継電器について説明する図である。
【符号の説明】
【００３２】
１ａ，１ｂ…トリップロック操作装置
１０…入力ライン
１１…第１リレー（入力手段）
１４…第２リレー
１２，１３，１５，１６ａ〜１６ｄ…接点
１７…第２出力ライン
１８ａ〜１８ｄ…第１出力ライン
１９ａ〜１９ｄ…第３出力ライン
２ａ，２ｂ…保護継電器（外部装置）
２１…トリップロック指令出力手段
２２…トリップロック完了入力手段
２３…トリップロック監視入力手段
３ａ〜３ｄ…機器
【図１】
2008228497.tif 000003
【図２】
2008228497.tif 000004
【図３】
2008228497.tif 000005